(57)【要約】【課題】被験者の呼吸気が漏れなく供給され、正確に呼吸気の流量を測定すること。【解決手段】呼吸気流量測定装置１００に対して脱着可能な呼吸気流量測定用の管体１であって、呼吸気が流れる流路１２を形成する流路部１２０と、前記流路１２内に設けられ、呼吸気が流れることによって可動する可動部材１３と、前記流路と連通し、呼吸気を供給するマウスピース部１４とを設けた。【選択図】図１
2007097998.tif 000002
【特許請求の範囲】
【請求項１】
呼吸気流量測定装置に対して脱着可能な呼吸気流量測定用の管体であって、
呼吸気が流れる流路を形成する流路部と、
前記流路内に設けられ、呼吸気が流れることによって可動する可動部材と、
前記流路と連通し、呼吸気を供給するマウスピース部と、
を設けたことを特徴とする呼吸気流量測定用の管体。
【請求項２】
前記マウスピース部の断面形状が円形又は楕円形であることを特徴とする請求項１に記載の呼吸気流量測定用の管体。
【請求項３】
前記流路の断面形状が四角形であることを特徴とする請求項１又は２に記載の呼吸気流量測定用の管体。
【請求項４】
前記マウスピース部の外周面に弾性層を設けたことを特徴とする請求項１乃至３の何れか１項に記載の呼吸気流量測定用の管体。
【請求項５】
前記弾性層の一部に鍔を設けたことを特徴とする請求項４に記載の呼吸気流量測定用の管体。
【請求項６】
前記管体は、全光線透過率（ＪＩＳ  Ｋ７３６１−１）が８０％以上１００％以下である透過部を有することを特徴とする請求項１乃至５の何れか１項に記載の呼吸気流量測定用の管体。
【請求項７】
前記流路部と前記マウスピース部とは脱着可能であることを特徴とする請求項１乃至６の何れか１項に記載の呼吸気流量測定用の管体。
【請求項８】
前記管体は折り畳み可能であることを特徴とする請求項１乃至７の何れか１項に記載の呼吸気流量測定用の管体。
【請求項９】
呼吸気の流量を測定する呼吸気流量測定装置であって、
請求項１乃至８の何れか１項に記載の呼吸気流量測定用の管体を装着して呼吸気の流量を測定することを特徴とする呼吸気流量測定装置。
【発明の詳細な説明】
【技術分野】
【０００１】
本発明は、呼吸気流量測定用の管体及びその呼吸気流量測定用の管体を利用して被験者の呼吸気の流量を測定する呼吸気流量測定装置に関する。
【背景技術】
【０００２】
人体の肺機能を検査する装置として、被験者の呼吸気の流量を測定する呼吸気流量測定装置（以下、「スパイロメータ」という。）が知られている。
【０００３】
このスパイロメータは多種のものがあり、例えば、気体が流通する通路中の層流抵抗体の前後の差圧を検出する差圧センサを用いた気体計測用流量計（特許文献１参照）や、偏向部材により呼吸気を渦流にし、その渦流により回転する回転体を流路中に設け、その回転に応じて回転体に遮断される発光器からの光を受光器により受光してその受光量から回転体の回転を検出する回転センサを用いた呼吸流量計測装置がある（特許文献２参照）。
【０００４】
しかし、特許文献１に記載のように、通路中の層流抵抗体の前後の差圧を検出する流量計は、比較的安価に構成することが可能であるが、流体の流路中に圧力センサを備える必要があった。そのため、流体の主流路をディスポーザブルにした場合でも、圧力センサを備えた部分の流路については交換せずに使用することとなり、毒性や感染性のある流体を測定する場合には問題があった。
【０００５】
そこで本出願人は、流体が流れる管体の内部に可動部材を配置し、流体の流量に応じて変化する可動部材の物理変化量を非接触の検出手段で検出し、流体の流量を算出する流量測定装置を提案した（特願２００４−３５６８９０又は特願２００５−１６１１３０）。当該流量測定装置によれば、検出手段が管体の外部に配置されているので、測定する毎に管体を消毒又は交換することが容易で、毒性や感染性のある流体を扱う場合に安全性を確保することができる。
【特許文献１】特開平７−８３７１３号公報
【特許文献２】特開２０００−２９８０４３号公報
【発明の開示】
【発明が解決しようとする課題】
【０００６】
ところで、本出願人が提案した上記流量測定装置であっても、被験者の呼吸気が管体の内部に適切に供給されなければならない。つまり、被験者の呼吸気が漏れなく管体の内部に供給され、呼吸気の流量に応じて適切に可動部材が物理変化するよう考慮する必要がある。
【０００７】
従って、本発明の目的は、被験者の呼吸気が漏れなく供給され、正確に呼吸気の流量を測定できる呼吸気流量測定装置用の管体及び呼吸気流量測定装置を提供することにある。
【課題を解決するための手段】
【０００８】
上記目的を達成するため、本発明では、呼吸気流量測定用の管体におけるマウスピース部の構成を工夫した。
【０００９】
即ち、本発明に係る呼吸気流量測定用の管体は、
呼吸気流量測定装置に対して脱着可能な呼吸気流量測定用の管体であって、
呼吸気が流れる流路を形成する流路部と、
前記流路内に設けられ、呼吸気が流れることによって可動する可動部材と、
前記流路と連通し、呼吸気を供給するマウスピース部と、
を設けたことを特徴とするものである。
【００１０】
また、本発明に係る呼吸気流量測定装置は、
呼吸気の流量を測定する呼吸気流量測定装置であって、
請求項１乃至８の何れか１項に記載の呼吸気流量測定用の管体を装着して呼吸気の流量を測定することを特徴とするものである。
【発明の効果】
【００１１】
本発明に係る呼吸気流量測定用の管体及び呼吸気流量測定装置によれば、被験者の呼吸気が漏れなく供給され、正確に呼吸気の流量を測定できる
【発明を実施するための最良の形態】
【００１２】
本発明に係る呼吸気流量測定装置（スパイロメータ）１００を図１〜図８を用いて詳細に説明する。
【００１３】
図１は本発明に係る呼吸気流量測定装置（スパイロメータ）１００の概要を説明する全体構成斜視図である。
【００１４】
１は呼吸気流量測定用の管体であり、２は管体１が挿入され被験者の呼吸気を測定する管体支持部であり、３は管体支持部２に接続された流量換算部である。
【００１５】
管体１には、管体１が管体支持部２に位置決めされるための係合穴１１と、呼吸気が流れる流路１２を形成する流路部１２０と、被験者が口を付けるマウスピース部１４が設けられている。
【００１６】
管体支持部２には、呼吸気の流量を測定するための検出部２０と、管体１を位置決めするためのプランジャー部２３が設けられている。
【００１７】
管体１は図１に示す矢印方向に沿って管体支持部２に挿入され、測定可能な所定の位置で管体支持部２に係止される構造になっている。この係止される構造については後ほどの詳細に説明する。
【００１８】
検出部２０の構成について説明する。検出部２０は、例えば光源部２１と受光部２２とで構成されている。光源部２１は、例えば、冷陰極管により構成される線発光光源により構成され、流路部１２０に設けられた透過部１５を介して、図４に示す照射範囲Ｒｇ内の可動部材１３を照射し、管体１を中心に受光部２２と対向する位置に配置されている。光源部２１には、例えばＥＬ（Ｅｌｅｃｔｒｏ  Ｌｕｍｉｎｅｓｃｅｎｅ）等の広領域を照射して面発光する光源や、ＬＥＤ（Ｌｉｇｈｔ  Ｅｍｉｔｔｉｎｇ  Ｄｉｏｄｅ）のような点発光する光源からの光を拡散板で拡散させて照射する光源等を適宜採用可能である。
【００１９】
受光部２２は、ＣＣＤ（Ｃｈａｒｇｅ  Ｃｏｕｐｌｅｄ  Ｄｅｖｉｃｅ）エリアセンサ、ＣＣＤラインセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）エリアセンサ、ＣＭＯＳラインセンサ等の光学検知素子により構成される。受光部２２は、光源部２１が照射する照射範囲Ｒｇ内の可動部材１３の光学像をを電気信号に変換（光電変換）する機能部であり、流量換算部３に光電変換した電気信号をケーブルＣＢを介して出力する。なお、受光部２２と流量換算部３とは、例えば、有線ＬＡＮ、無線ＬＡＮ及びＷＡＮ等のネットワークを介して接続可能であってもよいし、光ファイバーによって光学的な通信接続を行うこととしてもよい。
【００２０】
また、本実施の形態では検出部２０は、光源部２１と受光部２２とで可動部材１３を光学的に検出しているが、磁気センサや電波センサ等の非接触センサとすることも可能である。
【００２１】
図２は管体１と管体支持部２の断面形状を示した図である。
【００２２】
管体１には凹部１７が設けられており、管体支持部２には凸部２４が設けられている。管体１を管体支持部２に挿入する場合、凹部１７と凸部２４が嵌合し、凸部２４が挿入ガイドの役割を果たしてスムーズに管体１が挿入される構造となっている。
【００２３】
管体１が管体支持部２に挿入され所定位置で係止される構造を図３をもとに説明する。
【００２４】
図３で示すように、管体１には係合穴１１が設けられており、管体支持部２には係合穴１１と嵌合するプランジャー部２３が設けられており、プランジャー部２３に図示Ｙ方向に一定の押圧力がかかると、球形部２３２はバネの付勢力に抗して円筒部２３１の内部に移動する構造になっている。
【００２５】
管体１が管体支持部２に挿入される動作を説明する。図３（ａ）で示す矢印方向に管体１が移動すると、管体１の先頭部Ａ（図３（ｂ）参照）がプランジャー部２３の球形部２３２に接触し、球形部２３２がバネの付勢力に抗して円筒部２３１の内部に移動する。そうすると図３（ｂ）で示すように、管体１の先頭部Ａがプランジャー部２３を通過することとなる。さらに管体１を移動させ管体１の係合穴１１がプランジャー部２３周辺に差し掛かると、球形部２３２がバネの付勢力によって円筒部２３１から表に出て、図３（ｃ）に示すように係合穴１１とプランジャー部２３が嵌合し、管体１が管体支持部２の所定位置で係止されることとなる。このように管体１が所定位置に係止されることにより、可動部材１３と検出部２０との位置関係が常に一定のものとなり、呼吸気の流量を測定するための可動部材１３の移動状態が光源部２１と受光部２２によって正確に検出されることとなる。
【００２６】
次に呼吸気の流量測定方法について図４〜図６を用いて説明する。
【００２７】
図４に管体１を軸方向に切断した縦断面図を、図５に管体１の径方向に可動部材１３の接合部分を切断した縦断面図を、図６（ａ）に管体１の軸方向に切断した横断面図を示す。
【００２８】
図４〜図６に示すように、流路１２の内壁には、呼吸気の流れの一部を遮断する方向に可動部材１３が配置されている。可動部材１３の一端は流路１２の内壁に接合固定され、もう一端は、光源部２１と受光部２２とを結ぶ直線Ｐ上に固定される。
【００２９】
可動部材１３は、着色料の含有等により遮光性を有し、且つ可撓性を有する樹脂等の薄板上の弾性体により構成され、呼吸気の流量に応じて図４のようにｂ又はｄの方向に変形する。この変形の度合い（例えば、可動部材１３の下端１３１の移動量）は可動部材１３の弾性力、変形による流路の開口度、気流の流れの変化等により決められる。弾性力は可動部材１３の厚みや形状、素材材質等により決まる。
【００３０】
例えば、呼気の流量を測定する場合には、管体１に被験者が呼気を吹き込むことにより、図４の矢印ａ方向に気流が生じる。この気流により、可動部材１３が矢印ｂ方向に変形する（撓む）。また、吸気の流量を測定する場合には、管体１から吸気を吸い込むことにより、図４の矢印ｃ方向に気流が生じる。この気流により、可動部材１３が矢印ｄ方向に変形する（撓む）。スパイロメータ１００は、可動部材１３の物理的変化としての変形の度合いを受光部２２において撮像された光学像に基づいて検出することにより、呼吸流量の測定を行う。尚、物理的変化とは、物体の形状の変形だけでなく、物体の移動又は回転等の変移も含むこととする。
【００３１】
受光部２２は、この呼吸気に応じて撓む可動部材１３の照射範囲Ｒｇの光学像を走査、露光することで読み取る。そして、その読み取った光学像を電気信号（電圧）に変換し、流量換算部３のデータ入力部３３に出力する。
【００３２】
このとき、図６（ａ）の断面図のように、光源部２１の照射光が伝搬する方向に沿って、可動部材１３と受光部２２とが順に並ぶように配置されるため、光源部２１の照射光は、その一部が非透過性の可動部材１３によって遮断されて受光部２２に透過する。このため、可動部材１３の暗影を含む光学像、即ち透過像が形成されて受光部２２に受像される。
【００３３】
図６（ｂ）に、可動部材１３の光学像を読み取って受光部２２が生成した電気信号のグラフを示し、そのｘ軸が管体１の軸方向の位置座標、ｙ軸が受光部２２が変換する電気信号の信号値（電圧値）を表す。
【００３４】
図６（ｂ）のグラフに示すように、受光部２２が変換した電気信号の信号値は、可動部材１３の厚さに相当する像検出範囲Ｒ１の信号値Ｓｂが、可動部材１３に遮られることなく透過した照射光を受光して得られた信号値Ｓａよりも低い値をとる。このように、光源部２１からの照射光により、可動部材１３の光学像（透過像）は、当該可動部材１３の暗影が明瞭な電気信号に変換される。このため、電気信号から可動部材１３のｘ軸方向の座標位置を正確に読み取ることができる。
【００３５】
例えば、上述した呼吸気の流れにより、可動部材１３が変形して、照射範囲Ｒｇ内で矢印ｂの方向に変形すると、像検出範囲Ｒ１がその変形に伴ってｘ軸の＋方向に移動する。また、照射範囲Ｒｇ内の可動部材１３が矢印ｄの方向に変形すると、像検出範囲Ｒ１がその変形に伴って一方向に移動する。従って、呼吸気が流れていないときの可動部材１３の初期座標Ｘａと、像検出範囲Ｒ１の中心位置の座標位置との差分から可動部材１３がどの程度変形したかを表す変移量（単位：ｍｍ）を算出することができる。
【００３６】
ここで、流路部１２０の光学的な透過率が低いと、呼吸気により変化する可動部材１３の状態を受光部２２において正確に測定できない。また、流路部１２０を透過率が高い部材ですべて作ってしまうと、管体１を支持する管体支持部２の外部から光が受光部２２領域に混入してしまい、正確な測定ができないこととなる。
【００３７】
そこで、本実施の形態では、流路部１２０の検出部２０と対向する部位に透過部１５を設けた。透過部１５では全光線透過率が８０％以上１００％以下であることが好ましい。また、透過部１５以外の流路部１６では、全光線透過率が０％以上３０％以下であることが望ましい。この全光線透過率は、ＪＩＳ  Ｋ７３６１−１により規定されたものである。具体的な材料としては全光線透過率が異なるアクリル樹脂等が考えられる。このように流路部１２０に透過部１６を設けることにより、呼吸気の流量を正確に測定することが可能となる。
【００３８】
なお、可動部材１３の下端１２１に金属片や無線発振器等を設けることにより、検出部２０を磁気センサや電波センサとすることができる。この場合、流路部１２０の光学的な透過は必要なく、透過部１６を省略できる。
【００３９】
図７は、流量換算部３の機能構成の一例を示すブロック図である。図７によれば、流量換算部３は、ＣＰＵ（Ｃｅｎｔｒａｌ  Ｐｒｏｃｅｓｓｉｎｇ  Ｕｎｉｔ）３０、操作部３１、表示部３２、データ入力部３３、ＲＯＭ（Ｒｅａｄ  Ｏｎｌｙ  Ｍｅｍｏｒｙ）３４、ＲＡＭ（Ｒａｎｄｏｍ  Ａｃｃｅｓｓ  Ｍｅｍｏｒｙ）３５、記憶部３６を備えて構成される。尚、流量換算部３は、一般的なパーソナルコンピュータやＰＤＡ（Ｐｅｒｓｏｎａｌ  Ｄｉｇｉｔａｌ  Ａｓｓｉｓｔａｎｔ）、携帯電話機等の各種電子機器で構成することとしてもよい。
【００４０】
ＣＰＵ３０は、流量換算部３を構成する各機能部に対する指示やデータの入出力を行う機能部である。より具体的に、ＣＰＵ３０は、操作部３１から入力される操作信号に応じてＲＯＭ３４及び記憶部３６に格納されたプログラムを読み出し、当該プログラムに従って処理を実行する。そして、処理結果を表示出力するための表示データを表示部３２に出力し、当該表示データに従った画面を表示部３２に表示させる。
【００４１】
操作部３１は、数字や仮名、アルファベット等の文字入力や機能選択等に必要なキー群と、マウス等のポインティングデバイスを備えて構成され、押下されたキーの押下信号や、ポインティングデバイスの位置情報等をＣＰＵ３０に出力する。表示部３２は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等の表示パネルを備えて構成され、ＣＰＵ３０から入力される表示データに基づいた各種画面を当該表示パネルに表示させる。
【００４２】
データ入力部３３は、Ｄ／Ａ変換器を備えて構成され、受光部２２から入力された電気信号をＤ／Ａ変換してＣＰＵ３０に出力する。
【００４３】
ＲＯＭ３４は、不揮発性の半導体メモリで構成され、各種初期設定、ハードウェアの検査、又は必要なプログラムのロード等を行うための初期プログラムを格納している。ＲＡＭ３５は、書き換え可能な半導体素子で構成され、ＣＰＵ３０が実行する各種プログラムやこれらのプログラムの実行に係るデータ等を一時的に保持する。
【００４４】
記憶部３６は、磁気的、光学的な記憶媒体にデータの読み書きを行う機能部であり、ＨＤＤ（Ｈａｒｄ  Ｄｉｓｋ  Ｄｒｉｖｅ）等により構成される。本実施形態における記憶部３６は、図８に示す流量換算テーブル３７を記憶する。
【００４５】
流量換算テーブル３７は、図８に示すデータ構成の一例のように、可動部材１３の変移量３７１と、気流量情報３７２とを対応付けて記憶するデータテーブルである。ＣＰＵ３０は、この流量換算テーブル３７を用いて次のようにして呼吸流量を換算する。
【００４６】
先ずＣＰＵ３０は、データ入力部３３を介して入力される受光部２２の電気信号から像検出範囲Ｒ１を検出する。そして、予め定められた初期座標Ｘａと、像検出範囲Ｒ１の中心座標とを比較して、可動部材１３の変移量を算出する。次いで、算出した可動部材１３の変移量に対応する気流量情報を流量換算テーブル３７から読み出し、この気流情報を呼吸流量として決定する。
【００４７】
例えば、可動部材１３の変移量を０．３ｍｍとして算出した場合、その変移量に対応する気流量情報「０．６」を流量換算テーブル３７から読み出して、呼吸流量として決定する。このようにして、可動部材１３の変移量を呼吸流量に換算する。ＣＰＵ３０は、この換算した呼吸流量や、呼吸流量の推移を積分して計算した呼吸気量を表示部３２に表示させる。
【００４８】
以上説明したように、光源部２１からの照射光により可動部材１３の透過像が形成され、当該透過像が受光部２２により受像されることにより、簡易な方法で呼吸気の流量が測定できる。また、可動部材１３の光学像を受光部２２により撮像して、その光学像に基づいて呼吸流量を換算するため、受光部２２は、管体１内を通る呼吸気に接触しない。従って、呼吸流量の測定する毎に、受光部２２等を消毒・洗浄しなくてよく、手間が省ける。
【００４９】
本発明に係る呼吸気流量測定用の管体１の構造を図９を用いて説明する。
【００５０】
図９（ａ）は管体１をマウスピース部１４側からみた図、図９（ｂ）は管体１を長手方向からみた図、図９（ｃ）は管体１の長手方向における断面図である。
【００５１】
１２は呼吸気が流れる流路、１３は呼吸気が流れることによって可動する可動部材、１４は呼吸気を供給するマウスピース部を示す。
【００５２】
マウスピース部１４に被験者が口をつけて呼吸気を供給するわけであるが、図９で示すように、流路１２とマウスピース部１４とが管体１に設けられているので、被験者の呼吸気がマウスピース部１４から漏れなく直ぐに流路１２に供給されることになり、呼吸気に応じて適切に可動部材１３が物理変化することとなる。また、測定する毎にマウスピース部１４を含む管体１を交換すれば良く、流路１２やマウスピース部１４等に付着した病原菌が他の被験者に感染する等の衛生上の問題も生じない。
【００５３】
また、図９（ａ）で示すようにマウスピース部１４の断面形状は楕円形となっている。このような形状にすることによって被験者はマウスピース部を口に銜えやすい。また、被験者がマウスピース部を銜え呼気を吹き込んだ際、被験者の口とマウスピース部との隙間から呼気が漏れることを低減でき、正確な測定が可能となる。本実施形態では、マウスピース部１４の断面形状が楕円形であるが、円形でも全く同様の効果がある。
【００５４】
また、流路１２の断面形状は、呼吸気の流れを整流とし正確な測定が出来るよう四角形にすることが望ましい。
【００５５】
さらに、可動部材１３の形状も流路１２の断面形状と同じように四角形であることが望ましい（図５参照）。可動部材１３の下端１３１が低流量に対しても敏感に反応し可動部材１３が物理変化するようになるためであり、また流路１２と可動部材１３との隙間が大きくなるとその隙間から呼吸気が流れてしまい、可能部材１３が物理変化せず正確な測定ができないためである。
【００５６】
図１０及び図１１はマウスピース部１４における断面形状を表した図である。
【００５７】
マウスピース部１４の外周面にゴム樹脂等の弾性層１４１が設けられている。このように弾性層１４１を設けることにより、被験者がマウスピース部１４を口に銜えても不快感がない。また、被験者がマウスピース部１４を銜えた際に、弾性層１４１が弾性変形することによって弾性層１４が被験者の口の形状にならうため、被験者の口とマウスピース部１４との隙間から呼吸気が漏れることを低減でき、正確な測定が可能となる。
【００５８】
また、図１１に示すように弾性層１４１の一部に鍔１４２を設けることがさらに望ましい。被験者がマウスピース部１４を銜えた際、鍔１４２を被験者の唇と歯の間に挟むことによって、被験者が強く呼気を吹き込んでも管体１が被験者から抜けず、適切な測定が可能となるためである。
【００５９】
図１２はマウスピース部が脱着可能である管体１を表した図である。
【００６０】
呼吸気の流量を測定し終わった管体１は、箱等に収納して廃棄することとなるが、マウスピース部１４は前述したように断面形状が楕円形等であるため、マウスピース部１４が付いたままの管体１を重ねて箱等に収納しづらいという問題がある。そこでマウスピース部１４を脱着可能な構成にすることが望ましい。このようにすれば偏平なマウスピース部１４が外された部分（流路１２等）が四角柱であるため、箱等に重ねて収納しやすく、円滑に廃棄処分をすることができる。マウスピース部１４を脱着可能にするために、マウスピース部１４には脱着用の爪（図示せず）を設け、その爪が流路１２等に引っ掛かることによりマウスピース部１４が流路１２等に装着され、その爪を流路１２等から外すことによりマウスピース部１４を外す構成が考えられる。
【００６１】
図１３は折り畳み可能な管体１を表した図である。
【００６２】
図１３（ａ）は折り畳み可能な管体１の断面形状を表した図であり、図１３（ｂ）は管体１を折り畳む過程を表した図である。
【００６３】
図１３（ａ）に示すようにＺ方向に負荷をかけると、支点部１８を支点として図１３（ｂ）のように折り畳み可能な構成とすることが考えられる。このような構成にすることにより、管体１をコンパクトにしたうえで廃棄することができるので、廃棄用の管体１を一時保管する際に収納スペースを抑えることが可能となる。
【００６４】
なお、管体１を折り畳み可能とした場合、流路１２の断面形状を四角形に維持するために、図１２（ｂ）に示したマウスピース部１４の係止部１４１を枠体とすることができる。
【００６５】
本発明に係る呼吸気流量測定用の管体及び呼吸気流量測定装置は、以上説明したような形態であるが、本発明に係る呼吸気流量測定装置等は本実施形態に限定されることはなく、本発明の思想の範疇であれば他の実施形態も考えられることは言うまでもない。
【図面の簡単な説明】
【００６６】
【図１】本発明の実施の形態の一例を示す呼吸気流量測定装置（スパイロメータ）１００の概要を説明する全体構成図である。
【図２】管体１と管体支持部２の断面形状を示した図である。
【図３】管体１が管体支持部２に挿入され所定位置で係止される構造を説明した図である。
【図４】管体１を軸方向に切断した縦断面図である。
【図５】管体１の径方向に可動部材１３の接合部分を切断した縦断面図である。
【図６】管体１の軸方向の横断面図と、受光部２２が出力する電気信号を表した図である。
【図７】流量換算部３の機能構成の一例を示すブロック図である。
【図８】流量換算テーブル３７のデータ構成を示す図である。
【図９】本発明に係る呼吸気流量測定用の管体１の構造を示した図である。
【図１０】外周面に弾性層１４１を設けたマウスピース部１４の断面図である。
【図１１】外周面に弾性層１４１と鍔１４２を設けたマウスピース部１４の断面図である。
【図１２】マウスピース部１４が脱着可能である管体１を表した図である。
【図１３】折り畳み可能な管体１を表した図である。
【符号の説明】
【００６７】
１００  呼吸気流量測定装置（スパイロメータ）
１  呼吸気流量測定用の管体
１１  係合穴
１２  流路
１２０  流路部
１３  可動部材
１４  マウスピース部
１５  透過部
１４１  弾性層
１４２  鍔
２  管体支持部
２１  光源部
２２  受光部
２３  プランジャー部
３  流量換算部
【図１】
2007097998.tif 000003
【図２】
2007097998.tif 000004
【図３】
2007097998.tif 000005
【図４】
2007097998.tif 000006
【図５】
2007097998.tif 000007
【図６】
2007097998.tif 000008
【図７】
2007097998.tif 000009
【図８】
2007097998.tif 000010
【図９】
2007097998.tif 000011
【図１０】
2007097998.tif 000012
【図１１】
2007097998.tif 000013
【図１２】
2007097998.tif 000014
【図１３】
2007097998.tif 000015